(57)【要約】【課題】  本発明は、編集コンテンツ再生方法及び装置並びにプログラムに関し、ネットワークへの負荷を軽減すると共に、比較的簡単な操作で所望の編集済みのコンテンツを再生可能とすることを目的とする。【解決手段】  所望の番組のコンテンツを格納する第１の装置から、編集者に関するユーザ情報及び／又は番組情報に基づいて、第１の装置以外の第２の装置内に格納されており所望の番組のコンテンツの編集箇所を示す編集情報をネットワークを介してアクセスし、アクセスされた編集情報に基づいて編集された状態で、所望の番組のコンテンツを第１の装置内で再生するように構成する。【選択図】  図５
2006279331.tif 000002
【特許請求の範囲】
【請求項１】
所望の番組のコンテンツを格納する第１の装置から、編集者に関するユーザ情報及び／又は番組情報に基づいて、該第１の装置以外の第２の装置内に格納されており該所望の番組のコンテンツの編集箇所を示す編集情報をネットワークを介してアクセスするステップと、
アクセスされた該編集情報に基づいて編集された状態で、該所望の番組のコンテンツを該第１の装置内で再生するステップとを含むことを特徴とする、編集コンテンツ再生方法。
【請求項２】
該第２の装置は、該所望の番組のコンテンツの編集を行った装置からなることを特徴とする、請求項１記載の編集コンテンツ再生方法。
【請求項３】
該第２の装置は、該所望の番組のコンテンツの編集を行った第３の装置とは異なる共有サーバからなることを特徴とする、請求項１記載の編集コンテンツ再生方法。
【請求項４】
該編集された状態で該第１の装置内に格納された該所望の番組のコンテンツを編集するステップを更に含むことを特徴とする、請求項１〜３のいずれか１項記載の編集コンテンツ再生方法。
【請求項５】
該アクセスするステップは、該第２の装置が該ユーザ情報及び該番組情報との一致の度合いに応じた順序で出力する編集情報から該所望の編集情報を選択することを特徴とする、請求項１〜４のいずれか１項記載の編集コンテンツ再生方法。
【請求項６】
所望の番組のコンテンツを格納する記憶部と、
編集者に関するユーザ情報及び／又は番組情報に基づいて、外部装置内に格納されており該所望の番組のコンテンツの編集箇所を示す編集情報をネットワークを介してアクセスするアクセス手段と、
アクセスした該編集情報に基づいて編集された状態で、該所望の番組のコンテンツを再生する再生手段とを備えたことを特徴とする、編集コンテンツ再生装置。
【請求項７】
該ユーザ情報は、ユーザ名、及び受信可能な番組放送電波の種類及び受信区域を含む受信環境を含むことを特徴とする、請求項６記載の編集コンテンツ再生装置。
【請求項８】
該番組情報は、番組名、受信環境、チャンネル番号、番組識別子、放映時間及び録画時間を含むことを特徴とする、請求項６又は７項記載の編集コンテンツ再生装置。
【請求項９】
該編集情報は、対応する番組のコンテンツの編集の有無及び／又は視聴の有無を示すステータス情報を含むことを特徴とする、請求項６〜８のいずれか１項記載の編集コンテンツ再生装置。
【請求項１０】
記憶部に所望の番組のコンテンツを格納しているコンピュータに編集情報をアクセスさせるプログラムであって、
該コンピュータに、編集者に関するユーザ情報及び／又は番組情報に基づいて、外部装置内に格納されており該所望の番組のコンテンツの編集箇所を示す編集情報をネットワークを介してアクセスさせるアクセス手順と、
該コンピュータに、アクセスした該編集情報に基づいて編集された状態で、該所望の番組のコンテンツを再生させる再生手順とを含むことを特徴とする、編集コンテンツ再生装置。
【発明の詳細な説明】
【技術分野】
【０００１】
本発明は、編集コンテンツ再生方法及び装置並びにプログラムに係り、特に編集されているテレビジョン番組等のコンテンツを再生する編集コンテンツ再生方法及び装置、並びにコンピュータをそのような編集コンテンツ再生装置として動作させるプログラムに関する。
【背景技術】
【０００２】
パーソナルコンピュータ等の情報処理装置には、テレビジョン番組等のコンテンツを記録したり編集したりする機能を実現するアプリケーションがインストールされているものがある。例えば、テレビジョン番組の場合であれば、ユーザはこのアプリケーションによりコマーシャルの部分をカットする編集を行って、編集されたコンテンツを記録することができる。このように編集済みのコンテンツを再生すると、カットされたコマーシャルの部分がない状態でテレビジョン番組が連続して再生される。
【０００３】
例えば、コマーシャルの部分がカットされたテレビジョン番組に関する編集コンテンツであれば、他のユーザからもアクセスできれば便利である。他のユーザが編集済みのコンテンツをアクセスできれば、他のユーザは面倒な編集作業を行う必要がなくなる。
【０００４】
尚、特許文献１には、トラックデータ毎にメディアデータの表示位置情報を保持し、再生時には保持された各トラックに対応する表示位置情報を参照して表示装置の所定の位置にメディアデータの表示再生を行う装置が記載されている。
【０００５】
又、特許文献２には、記録した教材を学習者へ送信する場合、記録されている教材情報から送信する教材を探して読み出し、学習者に配信する学習システムが記載されている。
【特許文献１】特開平７−１０４９６０号公報
【特許文献２】特開２０００−３３０４６３号公報
【発明の開示】
【発明が解決しようとする課題】
【０００６】
しかし、ユーザ間で編集済みのコンテンツをネットワークを介してやり取りすると、コンテンツのデータ量が多くなるに従ってネットワークへの負荷も増大するという問題があった。
【０００７】
又、ユーザ間で編集済みのコンテンツをやり取りするためには、編集済みのコンテンツを希望するユーザから編集済みのコンテンツを所有するユーザへコンテンツを要求する必要があると共に、この要求に応答して編集済みのコンテンツを所有するユーザから希望するユーザへ編集済みのコンテンツを送信する必要があるため、コンテンツを希望するユーザはどのユーザが希望する編集済みのコンテンツを所有するのかを判断しなければならないことも考慮すると、両方のユーザにとって操作が煩雑であるという問題もあった。
【０００８】
そこで、本発明は、ネットワークへの負荷を軽減すると共に、比較的簡単な操作で所望の編集済みのコンテンツを再生することが可能な編集コンテンツ再生方法及び装置並びにプログラムを提供することを目的とする。
【課題を解決するための手段】
【０００９】
上記の課題は、所望の番組のコンテンツを格納する第１の装置から、編集者に関するユーザ情報及び／又は番組情報に基づいて、該第１の装置以外の第２の装置内に格納されており該所望の番組のコンテンツの編集箇所を示す編集情報をネットワークを介してアクセスするステップと、アクセスされた該編集情報に基づいて編集された状態で、該所望の番組のコンテンツを該第１の装置内で再生するステップとを含むことを特徴とする編集コンテンツ再生方法によって達成できる。
【００１０】
上記の課題は、所望の番組のコンテンツを格納する記憶部と、編集者に関するユーザ情報及び／又は番組情報に基づいて、外部装置内に格納されており該所望の番組のコンテンツの編集箇所を示す編集情報をネットワークを介してアクセスするアクセス手段と、アクセスした該編集情報に基づいて編集された状態で、該所望の番組のコンテンツを再生する再生手段とを備えたことを特徴とする編集コンテンツ再生装置によっても達成できる。
【００１１】
上記の課題は、記憶部に所望の番組のコンテンツを格納しているコンピュータに編集情報をアクセスさせるプログラムであって、該コンピュータに、編集者に関するユーザ情報及び／又は番組情報に基づいて、外部装置内に格納されており該所望の番組のコンテンツの編集箇所を示す編集情報をネットワークを介してアクセスさせるアクセス手順と、該コンピュータに、アクセスした該編集情報に基づいて編集された状態で、該所望の番組のコンテンツを再生させる再生手順とを含むことを特徴とする編集コンテンツ再生装置によっても達成できる。
【発明の効果】
【００１２】
本発明によれば、ネットワークへの負荷を軽減すると共に、比較的簡単な操作で所望の編集済みのコンテンツを再生することが可能な編集コンテンツ再生方法及び装置並びにプログラムを実現することができる。
【発明を実施するための最良の形態】
【００１３】
本発明になる編集コンテンツ再生方法及び装置並びにプログラムの各実施例を、以下に図面と共に説明する。
【００１４】
尚、本発明になるプログラムは、コンピュータ読み取り可能な記憶媒体に格納されていても良い。
【実施例】
【００１５】
図１は、本発明が適用可能なコンピュータシステムを示すブロック図である。図１に示すコンピュータシステムは、ネットワーク４を介して接続可能な複数のコンピュータ１，２，３，．．．からなる。各コンピュータ１，２，３，．．．は、ＣＰＵ等のプロセッサと、メモリ等の記憶部と、キーボード等の入力部と、表示部とを備えた周知の構成を有するパーソナルコンピュータからなる。ネットワーク４は、有線及び／又は無線ネットワークからなる。
【００１６】
説明の便宜上、コンピュータ１には、番組を受信する機能、番組のコンテンツを記憶部に格納する機能、コンテンツの編集を行う機能、編集済みのコンテンツの編集箇所を示す編集情報を記憶部に格納する機能、及びコンテンツ又は編集済みのコンテンツを再生して表示部に表示する機能を実現するアプリケーションがインストールされているものとする。又、コンピュータ３には、番組を受信する機能、番組のコンテンツを記憶部に格納する機能、コンピュータ１等の他のコンピュータの記憶部に格納されている所望のコンテンツの編集情報をアクセスして記憶部に格納する機能、及びコンテンツ又はアクセスした編集情報に基づいて所望のコンテンツを編集して再生することで表示部に表示する機能を実現するアプリケーションがインストールされているものとする。コンピュータ３にインストールされているアプリケーションは、コンテンツ又は編集済みのコンテンツを編集して編集箇所を示す編集情報を記憶部に格納する機能を更に実現するものであっても、所謂電子プログラムガイド（ＥＰＧ：Electronic Program Guide）を更に実現するものであっても良い。言うまでもなく、ネットワーク４に接続可能な各コンピュータは、コンピュータ１及びコンピュータ２の両方の機能を実現するアプリケーションがインストールされていても良い。
【００１７】
しかし、例えばコンピュータ２を共有サーバとして用い、コンピュータ１を含む各コンピュータで編集したコンテンツが周知の方法でコンピュータ２の記憶部に自動的に格納されるようにすることで、コンピュータ３を含む各コンピュータは所望のコンテンツの編集情報をコンピュータ２をアクセスすることで入手可能な構成としても良い。
【００１８】
本発明になる編集コンテンツ再生方法及び装置の一実施例は、上記の如きネットワーク４に接続された１台のコンピュータにより実現される。又、本発明になるプログラムの一実施例は、上記の如きネットーワーク４に接続された１台のコンピュータ内のプロセッサにより実行される。尚、本実施例では、「番組」とは説明の便宜上テレビジョン放送の番組であるものとするが、「番組」はテレビジョン放送の番組に限定されず、ケーブルテレビジョンの番組やインターネット上で提供されている各種番組等であっても良い。
【００１９】
図２は、コンピュータ１のプロセッサが実行する編集情報作成処理を説明するフローチャートである。番組を編集する場合は録画アプリケーションが起動され、番組を再生する場合は視聴アプリケーションが起動される。視聴アプリケーションは、スキップ再生を実行する機能を含む。
【００２０】
ここでは、番組のコンテンツが既に周知の方法で録画されておりコンピュータ１の記憶部に格納されているものとする。図３は、番組のコンテンツの録画時に登録される録画情報を示す図である。録画情報は、ユーザ情報、番組情報及び編集情報からなる。ユーザ情報は、編集者のユーザ名、及び受信可能な番組放送電波の種類及び受信区域を含む受信環境を含み、予めユーザによりコンピュータ１の入力部から手動で登録されるか、或いは、自動的にコンピュータ１に登録される。番組情報は、番組名、番組放送電波の種類及び受信区域を含む受信環境、チャンネル番号（ＣＨ）、番組識別子（ＰＩＤ：Program Identifier）、放映時間及び録画時間を含み、録画時にＥＰＧアプリケーション又はユーザにより手動で登録される。編集情報は、録画された番組のコンテンツの編集の有無及び／又は視聴の有無を示すステータス情報（フラグ）と、録画された番組のコンテンツの編集箇所である編集開始位置と編集終了位置を示す編集データとからなる。
【００２１】
編集時には、上記録画情報のうち、少なくとも録画された番組のコンテンツの編集の有無及び／又は視聴の有無を示すステータス情報（フラグ）と、録画された番組のコンテンツの編集箇所である編集開始位置と編集終了位置を示す編集データとが更新されて、編集情報としてコンピュータ１の記憶部に格納される。尚、ユーザ情報も編集情報に含めるようにしても良い。ユーザ情報が編集情報に含まれていると、後述する編集情報取得処理を行う際に、編集データをキーとする編集情報の検索に加え、ユーザ情報をキーとする検索や、編集データ及びユーザ情報をキーとする検索を行うことも可能となる。
【００２２】
図２において、コンピュータ１の入力部からの入力に応答して視聴アプリケーションが起動されると、ステップＳ１は、コンピュータ１の入力部からの入力に応答して録画済みの番組を選択すると共に、例えばコマーシャルの部分をスキップして再生するスキップ再生の有無を検出する。録画済みの番組の選択は、例えばコンピュータ１の表示部に記憶部に格納されている録画済みの番組の一覧を表示してユーザに所望の番組の選択を促し、ユーザが入力部から所望の番組を選択することで行われる。スキップ再生は、例えばコンピュータ１の表示部にスキップ再生の有無を選択するボタンを表示してユーザにスキップ再生の有無の選択を促し、ユーザが入力部から所望の選択をすることで行われる。ステップＳ２は、スキップ再生が選択されていれば、番組のコンテンツの編集箇所である再生開始位置と再生終了位置（コマーシャルの終了位置と開始位置）を編集データとして、上記ステータス情報と共にコンピュータ１の記憶部に編集情報として格納して編集情報を更新する。ステップＳ３は、編集情報を公開するか否かを判定する。編集情報を公開するか否かの選択は、例えばコンピュータ１の表示部に編集情報の公開の有無を選択するボタンを表示して、ユーザに編集情報の公開の有無を番組毎或いは全ての番組について選択することを促し、ユーザが入力部から所望の選択をすることで行われる。ステップＳ３の判定結果がＮＯであると、処理は終了する。他方、ステップＳ３の判定結果がＹＥＳであると、処理は後述するステップＳ２１へ進む。
【００２３】
コンピュータ１の入力部からの入力に応答して録画アプリケーションが起動されると、ステップＳ１１は、コンピュータ１の入力部からの入力に応答して録画済みの番組を選択すると共に、編集の有無を検出する。録画済みの番組の選択は、ステップＳ１の場合と同様に行える。編集は、例えばコンピュータ１の表示部に編集の有無を選択するボタン及び編集箇所を指定するフィールドを表示してユーザに編集の有無の選択及び番組のコンテンツの編集箇所の入力を促し、ユーザが入力部から所望の選択行い編集箇所を入力することで行われる。ステップＳ１２は、編集が選択されていれば、入力された番組のコンテンツの編集箇所である編集開始位置と編集終了位置を編集データとして、上記ステータス情報と共にコンピュータ１の記憶部に編集情報として格納して編集情報を更新し、処理はステップＳ３へ進む。
【００２４】
ステップＳ２１は、編集情報を公開するための公開用データを作成する。図４は、ステップＳ２１の公開用データ作成処理を説明するフローチャートである。図４において、ステップＳ２１１は、録画情報から番組放送電波を確認し、地上アナログ放送、地上デジタル放送或いはＢＳ・ＣＳデジタル放送であるかを判別する。番組放送電波が地上デジタル放送或いはＢＳ・ＣＳデジタル放送の場合、処理はステップＳ２１２へ進み、ＰＩＤを放送上のＰＩＤから取得し、処理は後述するステップＳ２１５へ進む。他方、番組放送電波が地上アナログ放送の場合、処理はステップ２１３へ進み、ＥＰＧアプリケーションで登録された番組情報があるか否かを判定する。ステップＳ２１３の判定結果がＮＯであると、処理は後述するステップＳ２１６へ進む。ステップＳ２１３の判定結果がＹＥＳであると、ステップＳ２１４は、ＰＩＤがＥＰＧアプリケーションで登録された番組情報から取得できるか否かを判定する。
【００２５】
ステップＳ２１２の後、或いは、ステップＳ２１４の判定結果がＹＥＳであると、ステップＳ２１５は、ＰＩＤを公開用データの一部としてコンピュータ１の記憶部に格納する。ステップＳ２１３の判定結果或いはステップＳ２１４の判定結果がＮＯであると、ステップＳ２１６は、録画情報から公開用データを構成する他の情報を取得してコンピュータ１の記憶部に格納し、処理は図２に示すステップＳ２２へ戻る。
【００２６】
図２の説明に戻るに、ステップＳ２２は、作成された公開用データを、他のコンピュータ２，３，．．．からも公開用データを検索することで編集情報をアクセス可能となるようにコンピュータ１の記憶部に格納し、処理は終了する。尚、コンピュータ２が共有サーバとして用いられる場合には、ステップＳ２２は作成された公開用データを、コンピュータ２へ送信して登録し、他のコンピュータ１，３，．．．からも公開用データを検索することで編集情報をアクセス可能となるようにコンピュータ２の記憶部に格納する。
【００２７】
尚、全ての番組について編集情報を自動的に公開するモードが設定されている場合には、ステップＳ３の判定結果は常にＹＥＳとなり、公開用データが自動的に作成され登録される。
【００２８】
図５は、コンピュータ３のプロセッサが実行する編集情報取得処理を説明するフローチャートである。図５において、ステップＳ３１は、コンピュータ３の入力部からのユーザによる入力に基づいて、視聴及び／又は編集するべき所望の録画済みの番組を選択する。所望の録画済みの番組の選択は、例えばコンピュータ３の表示部に記憶部に格納されている録画済みの番組の一覧を表示してユーザに所望の番組の選択を促し、ユーザが入力部から所望の番組を選択することで行われる。所望の番組は、ＰＩＤ及び／又は番組名を選択することで選択される。
【００２９】
ステップＳ３２は、所望の番組の編集情報を選択する。選択される編集情報は、希望する編集者、即ち、番組のコンテンツの編集を行って公開しているユーザのユーザ情報及び／又は録画された番組のコンテンツの編集の有無及び／又は視聴の有無を示すステータス情報（フラグ）をコンピュータ３の入力部から入力或いは上記録画済みの番組の一覧から選択することで選択される。
【００３０】
ステップＳ３３は、選択された所望の番組及びその編集情報をキーとしてネットワーク４に接続されているコンピュータ１，２，．．．内の公開用データを周知の方法で検索し、検索がヒットしたコンピュータから対応する編集情報の編集データを取得する。希望する編集者が固定でありコンピュータ１のユーザであれば、希望する編集者のユーザ情報に基づいてコンピュータ１のみをアクセスしても良い。又、コンピュータ２が共有サーバとして用いられる場合には、検索には常に全てのユーザの公開用データを集中管理しているコンピュータ２のみをアクセスすれば良い。更に、複数の編集データが取得された場合には、図６と共に後述する如く、コンピュータ３のユーザが希望する編集データを選択するようにすれば良い。
【００３１】
ステップＳ３４は、取得した編集データをコンピュータ３の記憶部に編集情報として格納すると共に、編集データに基づいて所望の番組のコンテンツを編集して再生し、コンピュータ３の表示部に表示する。ステップＳ３４の後、処理は終了する。尚、ステップＳ３４は、再生した所望の番組の編集済みのコンテンツを自体をコンピュータ３の記憶部に格納するようにしても良い。
【００３２】
このようにして、コンピュータ３のユーザは、所望の番組のコンテンツを自分で編集することなく、所望の番組の編集済みのコンテンツに関する編集データを、公開されている編集データから自動的に取得して、取得した編集データに基づいて所望の番組のコンテンツを編集して再生することができる。又、ネットワーク４を介して取得されるのは編集データであり、番組のコンテンツや実際に編集されたコンテンツはネットワークを介して転送されないので、ネットワーク４への負荷を軽減できる。
【００３３】
図６は、ステップＳ３３の検索情報表示処理を説明するフローチャートである。図６において、ステップＳ３３１は、選択された所望の番組及びその編集情報のうち、ＰＩＤをキーとしてネットワーク４に接続されているコンピュータ１，２，．．．内の公開用データを周知の方法で検索し、一致するＰＩＤを有する公開用データが存在するか否かを判定し、判定結果がＹＥＳであると、ステップＳ３３２は、一致するＰＩＤを有する公開用データに対して、希望する編集データを含む確度を示すスコアを+１０点加算する。
【００３４】
ステップＳ３３１の判定結果がＮＯ又はステップＳ３３２の後、ステップＳ３３３は、選択された所望の番組及びその編集情報のうち、番組名をキーとして上記と同様に検索し、一致する番組名を有する公開用データが存在するか否かを判定し、判定結果がＹＥＳであると、ステップＳ３３４は、一致する番組名を有する公開用データに対して、希望する編集データを含む確度を示すスコアを+１０点加算する。尚、番組名の文字、数字や記号が一致する度合いに応じてステップＳ３３４において加算するスコアを可変としても良い。
【００３５】
ステップＳ３３３の判定結果がＮＯ又はステップＳ３３４の後、ステップＳ３３５は、選択された所望の番組及びその編集情報のうち、放映時間をキーとして上記と同様に検索し、一致する放映時間を有する公開用データが存在するか否かを判定し、判定結果がＹＥＳであると、ステップＳ３３６は、一致する放映時間を有する公開用データに対して、希望する編集データを含む確度を示すスコアを+５点加算する。放映時間の一致は、例えば放映開始時刻の差と番組の長さの差がいずれも５分以内であれば一致とみなすようにしても良い。
【００３６】
ステップＳ３３５の判定結果がＮＯ又はステップＳ３３６の後、ステップＳ３３７は、選択された所望の番組及びその編集情報のうち、受信環境（例えば、受信区域）及びチャンネルをキーとして上記と同様に検索し、一致する受信環境及びチャンネルを有する公開用データが存在するか否かを判定し、判定結果がＹＥＳであると、ステップＳ３３８は、一致する受信環境及びチャンネルを有する公開用データに対して、希望する編集データを含む確度を示すスコアを+５点加算する。
【００３７】
ステップＳ３３７の判定結果がＮＯ又はステップＳ３３８の後、ステップＳ３３９は、検索した各公開用データのスコアを合計し、ステップＳ３４０は、例えばスコアの高い順にヒットした公開用データから取得した編集データをコンピュータ３の表示部に表示し、希望する編集データの選択をコンピュータ３のユーザに促す。スコアが一定以上の編集データのみを表示部に表示するようにしても良い。コンピュータ３のユーザは、編集データの内容を表示部で確認して、入力部から希望する編集データを選択すれば良い。尚、最も高いスコアを有する編集データが自動的に選択されるようにしても良いことは、言うまでもない。
【００３８】
更に、スコアは、各編集データの入手先の公開用データに記録するようにしても良い。この場合、コンピュータ３のユーザは、一定値のスコアもキーとして検索を行うことで、スコアが一定以上である利用頻度の高い編集データのみを取得することができ、検索を更に絞り込むことができる。
【００３９】
図７は、ステップＳ３３の検索処理の第１変形例を説明するフローチャートである。本変形例では、コンピュータ３のユーザは、一定値のスコアもキーとして検索を行うことで、スコアが一定以上である利用頻度の高い編集データのみを取得するものとする。図７において、ステップＳ１０１は、スコアが一定以上の公開用データから編集データを取得する。ステップＳ１０２は、取得した編集データの数（件数）が所定数以上であるか否かを判定する。ステップＳ１０２の判定結果がＮＯであると、ステップＳ１０３は、番組名が一致する公開用データに加算するスコアの値を増加させると共に、受信環境（例えば、受信区域）及びチャンネルが一致する公開用データに加算するスコアの値を減少させ、処理はステップＳ１０１へ戻る。ステップＳ１０２の判定結果がＹＥＳになると、ステップＳ１０４は、取得された編集データをコンピュータ３の表示部に表示する。
【００４０】
これにより、取得可能な編集データの数が少ない場合には、検索条件を緩めて、より広い受信地域に関する公開用データから編集データを取得することができる。
【００４１】
図８は、ステップＳ３３の検索処理の第２変形例を説明するフローチャートである。本変形例では、コンピュータ３のユーザは、一定値のスコアもキーとして検索を行うことで、スコアが一定以上である利用頻度の高い編集データのみを取得するものとする。図８において、ステップＳ４０１は、スコアが一定以上の公開用データから編集データを取得する。ステップＳ４０２は、取得した編集データの数（件数）が所定数以上であるか否かを判定する。ステップＳ４０２の判定結果がＮＯであると、ステップＳ４０３は、ＰＩＤを検索のキーから除外し、処理はステップＳ４０１へ戻る。ステップＳ４０２の判定結果がＹＥＳであると、ステップＳ４０４は、取得された編集データをコンピュータ３の表示部に表示する。
【００４２】
デジタル放送に関する公開用データを提供しているユーザ数が少ない場合には、ＰＩＤをキーとして検索した結果は当然少なくなる。しかし、同じ番組がデジタル放送とアナログ放送の両方で放送されている場合であれば、アナログ放送の番組に対する編集データを取得しても代用できる。そこで、本変形例では、取得した編集データの数が所定数未満であれば、ＰＩＤを検索のキーから除外して、検索条件を緩めて、より多くの公開用データから編集データを取得することができる。
【００４３】
上記実施例では、本発明がコンピュータシステムに適用されているが、上記の如き機能を実現する手段を備えた装置であれば、パーソナルコンピュータ以外にも本発明を適用可能である。例えば、本発明は、ＨＤＤ装置やＤＶＤ装置等にも同様に適用可能である。又、本発明は、上記の如き機能を実現する手段を備えたＰＤＡや携帯電話等の各種携帯型装置にも同様に適用可能である。
【産業上の利用可能性】
【００４４】
本発明は、自装置以外の装置をアクセスして所望の編集済みのコンテンツを再生する装置に好適である。
【００４５】
尚、本発明は、以下に付記する発明をも包含するものである。
（付記１）  所望の番組のコンテンツを格納する第１の装置から、編集者に関するユーザ情報及び／又は番組情報に基づいて、該第１の装置以外の第２の装置内に格納されており該所望の番組のコンテンツの編集箇所を示す編集情報をネットワークを介してアクセスするステップと、
アクセスされた該編集情報に基づいて編集された状態で、該所望の番組のコンテンツを該第１の装置内で再生するステップとを含むことを特徴とする、編集コンテンツ再生方法。
（付記２）  該第２の装置は、該所望の番組のコンテンツの編集を行った装置からなることを特徴とする、付記１記載の編集コンテンツ再生方法。
（付記３）  該第２の装置は、該所望の番組のコンテンツの編集を行った第３の装置とは異なる共有サーバからなることを特徴とする、付記１記載の編集コンテンツ再生方法。
（付記４）  該ユーザ情報は、ユーザ名、及び受信可能な番組放送電波の種類及び受信区域を含む受信環境を含むことを特徴とする、付記１〜３のいずれか１項記載の編集コンテンツ再生方法。
（付記５）  該番組情報は、番組名、受信環境、チャンネル番号、番組識別子、放映時間及び録画時間を含むことを特徴とする、付記１〜４のいずれか１項記載の編集コンテンツ再生方法。
（付記６）  該編集情報は、対応する番組のコンテンツの編集の有無及び／又は視聴の有無を示すステータス情報を含むことを特徴とする、付記１〜５のいずれか１項記載の編集コンテンツ再生方法。
（付記７）  該編集された状態で該第１の装置内に格納された該所望の番組のコンテンツを編集するステップを更に含むことを特徴とする、付記１〜６のいずれか１項記載の編集コンテンツ再生方法。
（付記８）  該アクセスするステップは、該第２の装置が該ユーザ情報及び該番組情報との一致の度合いに応じた順序で出力する編集情報から該所望の編集情報を選択することを特徴とする、付記１〜７のいずれか１項記載の編集コンテンツ再生方法。
（付記９）  所望の番組のコンテンツを格納する記憶部と、
編集者に関するユーザ情報及び／又は番組情報に基づいて、外部装置内に格納されており該所望の番組のコンテンツの編集箇所を示す編集情報をネットワークを介してアクセスするアクセス手段と、
アクセスした該編集情報に基づいて編集された状態で、該所望の番組のコンテンツを再生する再生手段とを備えたことを特徴とする、編集コンテンツ再生装置。
（付記１０）  該ユーザ情報は、ユーザ名、及び受信可能な番組放送電波の種類及び受信区域を含む受信環境を含むことを特徴とする、付記９記載の編集コンテンツ再生装置。
（付記１１）  該番組情報は、番組名、受信環境、チャンネル番号、番組識別子、放映時間及び録画時間を含むことを特徴とする、付記９又は１０項記載の編集コンテンツ再生装置。
（付記１２）  該編集情報は、対応する番組のコンテンツの編集の有無及び／又は視聴の有無を示すステータス情報を含むことを特徴とする、付記９〜１１のいずれか１項記載の編集コンテンツ再生装置。
（付記１３）  該編集された状態で該記憶部に格納された該所望の番組のコンテンツを編集する編集手段を更に備えたことを特徴とする、付記９〜１２のいずれか１項記載の編集コンテンツ再生装置。
（付記１４）  該アクセス手段は、該外部装置が該ユーザ情報及び該番組情報との一致の度合いに応じた順序で出力する編集情報から該所望の編集情報を選択することを特徴とする、付記９〜１３のいずれか１項記載の編集コンテンツ再生装置。
（付記１５）  記憶部に所望の番組のコンテンツを格納しているコンピュータに編集データをアクセスさせるプログラムであって、
該コンピュータに、編集者に関するユーザ情報及び／又は番組情報に基づいて、外部装置内に格納されており該所望の番組のコンテンツの編集箇所を示す編集情報をネットワークを介してアクセスさせるアクセス手順と、
該コンピュータに、アクセスした該編集情報に基づいて編集された状態で、該所望の番組のコンテンツを再生させる再生手順とを含むことを特徴とする、編集コンテンツ再生装置。
（付記１６）  該コンピュータに、該編集された状態で該第１の装置内に格納された該所望の番組のコンテンツを編集させる編集手順を更に含むことを特徴とする、付記１５記載のプログラム。
【００４６】
以上、本発明を実施例により説明したが、本発明は上記実施例に限定されるものではなく、本発明の範囲内で種々の変形及び改良が可能であることは、言うまでもない。
【図面の簡単な説明】
【００４７】
【図１】本発明が適用可能なシステムを示すブロック図である。
【図２】編集データ作成処理を説明するフローチャートである。
【図３】録画時に登録される録画情報を示す図である。
【図４】公開用データ作成処理を説明するフローチャートである。
【図５】コンピュータのプロセッサが実行する編集情報取得処理を説明するフローチャートである。
【図６】検索情報表示処理を説明するフローチャートである。
【図７】検索処理の第１変形例を説明するフローチャートである。
【図８】検索処理の第２変形例を説明するフローチャートである。
【符号の説明】
【００４８】
１，２，３，．．．      コンピュータ
４      ネットワーク
【図１】
2006279331.tif 000003
【図２】
2006279331.tif 000004
【図３】
2006279331.tif 000005
【図４】
2006279331.tif 000006
【図５】
2006279331.tif 000007
【図６】
2006279331.tif 000008
【図７】
2006279331.tif 000009
【図８】
2006279331.tif 000010